(57)【要約】【課題】多様な組み合わせのパレット同士を段積みすることが可能なパレット段積み治具を提供する。【解決手段】側枠２に沿って移動可能な支柱受部５１乃至５８と、側枠２の対角線に沿って斜めに延びる各梁材２５乃至２８に沿って移動可能な支柱受部４１乃至４４と、を備える。これにより、例えば、下側のパレットの支柱が、側枠２の内側に配置される場合であっても、側枠２に配置された支柱受部５１乃至５８と、梁材２５乃至２８に配置された支柱受部４１乃至４４とを適宜に使用することにより、下側のパレットの全ての支柱を受けることができる。【選択図】図２
2017124839.tif 000002
【特許請求の範囲】
【請求項１】
段積みされた上下のパレット間に介装されるパレット段積み治具であって、
矩形に形成された側枠と、
前記側枠の四隅に配置され、一方のパレットの支柱を支持する支柱支持部と、
前記側枠から当該側枠の内側へ延び、且つ前記側枠を構成する枠材に対して斜めに配置される梁材と、
前記側枠及び前記梁材に沿って移動可能に設けられ、他方のパレットの支柱を受ける複数個の支柱受部と、
を備えることを特徴とするパレット段積み治具。
【発明の詳細な説明】
【技術分野】
【０００１】
本発明は、パレット間に介装されるパレット段積み治具に関する。
【背景技術】
【０００２】
特許文献１には、複数の支柱が互いに垂直方向で合致しない位置に立設されているパレット同士を上下方向に積層するため、下側パレットと上側パレットとの間に介装するパレット積層治具が開示されている。当該パレット積層治具において、下側パレットの支柱を受ける支柱受部材は、第一棒状部材の軸方向へのみ変位可能であり、上側パレットの支柱を支持する支柱支持部材は、第一棒状部材に直交する第二棒状部材の軸方向へのみ変位可能である。
【０００３】
当該パレット積層治具においては、例えば、下側パレットを基準に第一棒状部材と第二棒状部材とを枠組みした場合、上側パレットの４本の支柱が、第一棒状部材と第二棒状部材とにより形成される矩形の枠の内側に位置するとき、支柱支持部材により上側パレットの支柱を受けることができない。また、当該パレット積層治具においては、支柱受部材及び支柱支持部材の位置調整を、当該パレット積層治具をフォークリフト等にて床から浮かせて行う必要がある。
【先行技術文献】
【特許文献】
【０００４】
【特許文献１】特開２０１０−１８４７１９号公報
【発明の概要】
【発明が解決しようとする課題】
【０００５】
そこで本発明は、上記事情に鑑みてなされたもので、多様な組み合わせのパレット同士を段積みすることが可能なパレット段積み治具を提供することを課題としてなされたものである。
【課題を解決するための手段】
【０００６】
上記課題を解決するために、本発明のパレット段積み治具は、段積みされた上下のパレット間に介装されるパレット段積み治具であって、矩形に形成された側枠と、前記側枠の四隅に配置され、一方のパレットの支柱を支持する支柱支持部と、前記側枠から当該側枠の内側へ延び、且つ前記側枠を構成する枠材に対して斜めに配置される梁材と、前記側枠及び前記梁材に沿って移動可能に設けられ、他方のパレットの支柱を受ける複数個の支柱受部と、を備えることを特徴とする。
【発明の効果】
【０００７】
本発明によれば、例えば、上側のパレットを基準となる一方のパレットとした場合、下側の他方のパレットの支柱が当該パレット段積み治具の側枠の内側に位置するとき、換言すると、下側の他方のパレットの支柱を側枠に沿って移動可能な支柱受部により受けることができないときであっても、当該支柱を、梁材に沿って移動可能な支柱受部により受けることが可能であり、多様な組み合わせのパレット同士を段積みすることができる。
【図面の簡単な説明】
【０００８】
【図１】本実施形態のパレット段積み治具の斜視図である。
【図２】本実施形態のパレット段積み治具の平面図である。
【図３】図１の一部を拡大して示した図である。
【図４】本実施形態の説明図であって、特に、パレット段積み治具を床面に設置した状態で、支柱受部が床面から浮いていることを示す図である。
【図５】本実施形態のパレット段積み治具を介装することにより段積みされた上側のパレット及び下側のパレットの正面図である。
【図６】本実施形態の作用を説明するための概念図である。
【図７】本実施形態の作用を説明するための概念図である。
【図８】本実施形態の作用を説明するための概念図である。
【発明を実施するための形態】
【０００９】
本発明の一実施形態を添付した図を参照して説明する。
本実施形態のパレット段積み治具１は、物流等において使用されるパレットを段積みするために相互のパレット間に介装されるものであり、特に、基準となる上側のパレット２０（図５参照）を、多様なサイズの下側のパレット７０（図５参照）に段積みするためのものである。なお、便宜的に、図１に準じて、左右方向、前後方向、及び上下方向を定義する。
【００１０】
図１、図２に示されるように、パレット段積み治具１は、矩形（長方形）に形成される側枠２と、当該側枠２の四角に配置される４本の支柱３１、３２、３３、３４（支柱支持部）と、を有する。側枠２は、支柱３１、３２間に架設される第１枠材２１、支柱３２、３３間に架設される第２枠材２２、支柱３３、３４間に架設される第１枠材２３、及び支柱３４、３１間に架設される第２枠材２４により構成される。また、側枠２は、第１枠材２１、２３間に架設される第１補強材３、当該第１補強材３と第２枠材２２との間に架設される第２補強材４、及び第１補強材３と第２枠材２４との間に架設される第３補強材５により補強される。
【００１１】
ここで、第１補強材３と、第２枠材２２と、第２枠材２４とは、相互に平行に配置される。また、第２補強材４及び第３補強材５と、第１枠材２１と、第１枠材２３とは、相互に平行に配置される。また、第１補強材３と、第２補強材４及び第３補強材５とは、側枠２の中心（便宜的に「交叉部６」と称する）にて交叉する。さらに、各支柱３１、３２、３３、３４の下端には、各々、正方形の着座面を有する脚部３５、３６、３７、３８が固定される。
【００１２】
パレット段積み治具１は、側枠２から当該側枠２の内側へ延びる、換言すると、各支柱３１、３２、３３、３４から交叉部６（側枠２の中心）へ向かって延びる梁材２５、２６、２７、２８を有する。梁材２５、２７は、支柱３１、３３間を結ぶ側枠２の対角線上に配置される。他方、梁材２６、２８は、支柱３２、３４間を結ぶ側枠２の対角線上に配置される。なお、本実施形態において、各枠材２１乃至２４、各補強材３乃至５、各支柱３１乃至３４、及び各梁材２５乃至２８には、同一規格（例えば「日本工業規格」）の角鋼が適用され、各部材間の接合には、例えば、溶接等が適用される。
【００１３】
図１、図２に示されるように、側枠２には、下側のパレット（他方のパレット）の支柱（図示省略）を受けるための支柱受部５１乃至５８が設けられる。ここで、支柱受部５１乃至５８は同一構造である。従って、明細書の記載を簡潔にすることを目的に、支柱受部５８のみを説明して、支柱受部５１乃至５７の説明を省略する。
【００１４】
図３、図４に示されるように、支柱受部５８は、枠形状に形成されて内側に第２枠材２４が挿通される枠部１１と、当該枠部１１の下端に取り付けられる座部１２と、を有する。座部１２は、下側部分が四角柱形状に形成され、上側部分が四角錐台形状に形成される。座部１２の下面には、軸直角平面による断面が正方形の穴１３（図４参照）が開口し、当該穴１３は、下側のパレットの支柱（図示省略）を容易に受け入れることを補助するため、断面が底部（下側のパレットの支柱の端面を受ける部分）へ向かって漸減されている。また、枠部１１の上側には、ねじ孔１４が形成され、当該ねじ孔１４には、六角穴付き止めねじ１５が螺合される。
【００１５】
一方、側枠２の第２枠材２４の上面には、当該第２枠材２４に沿って左右方向へ延びる長穴６８が形成される。当該長穴６８は、一定の深さ、及び止めねじ１５の外径よりも大きい幅を有する。また、長穴６８は、前端が第２枠材２４よりも後方に位置し、後端が補強材３よりも前方に位置する。さらに、長穴６８には、支柱受部５８の枠部１１のねじ孔１４に螺合された止めねじ１５の先端側（下側）部分が挿入される。
【００１６】
そして、止めねじ１５を締付けて当該止めねじ１５の先端を長穴６８の底部に押付けることにより、支柱受部５８を第２枠材２４に固定する、すなわち、支柱受部５８を左右方向に位置決めすることができる。また、図４に示されるように、当該パレット段積み治具１を設置させた状態、すなわち、脚部３５乃至３８が床面Ｆに着座した状態において、支柱受部５８の座部１２は、床面Ｆから浮いて床面Ｆに着座していない。従って、支柱受部５８が固定された状態から止めねじ１５を緩めることにより、当該支柱受部５８を、長穴６８の全長の範囲内で左右方向へ移動させることができる。支柱受部５８に対応する長孔６８と同様に、側枠２の上面には、各支柱受部５１乃至５７に対応する長穴６１乃至６７が形成される。
【００１７】
また、図１、図２に示されるように、各梁材２５乃至２８には、下側のパレットの支柱（図示省略）を受けるための支柱受部４１乃至４４が設けられる。ここで、支柱受部４１乃至４４は、前述した支柱受部５１乃至５８と同一構造である。従って、明細書の記載を簡潔にすることを目的に、支柱受部４１乃至４４の説明を省略する。また、各梁材２５乃至２８の上面には、当該各梁材２５乃至２８に沿って側枠２に対して斜め方向（側枠２の対角線方向）へ延びる長穴４５乃至４８が、各支柱受部４１乃至４４に対応して設けられる。
【００１８】
従って、各支柱受部４１乃至４４は、止めねじ１５を締付けて当該止めねじ１５の先端を各長穴４５乃至４８の底部に押付けることにより、各梁材２５乃至２８に固定される、すなわち、側枠２に対して斜め方向（側枠２の対角線方向）に位置決めすることができる。また、各支柱受部４１乃至４４は、当該パレット段積み治具１を設置させた状態で、止めねじ１５を緩めることにより、各長穴４５乃至４８の全長の範囲内で側枠２に対して斜め方向（側枠２の対角線方向）へ移動させる（位置調整する）ことができる。
【００１９】
本実施形態の作用を説明する。
ここでは、図５に示されるように、前述したパレット段積み治具１を使用して、基準となる上側のパレット２０（一方のパレット）を、サイズが異なる下側のパレット７０（他方のパレット）に段積みする（積み上げる）場合について説明する。
【００２０】
（パターン１）
図６に示されるように、下側のパレット７０が、パレット段積み治具１の側枠２に対して、前後方向長さが同一で、且つ左右方向長さが短い場合、下側のパレット７０の各支柱７１、７２、７３、７４を、当該パレット段積み治具１の側枠２に配置された各支柱受部５８、５３、５４、５７にて受けることにより、当該パレット段積み治具１を介して、上側のパレット（図示省略）を下側のパレット７０に段積みすることができる。なお、パレット段積み治具１の各支柱３１、３２、３３、３４（支柱支持部）は、上側のパレット（図示省略）の各支柱の脚部を受ける。
【００２１】
（パターン２）
図７に示されるように、下側のパレット７０が、パレット段積み治具１の側枠２に対して、前後方向長さ及び左右方向長さが短い場合、換言すると、下側のパレット７０の支柱７１、７２、７３、７４が、パレット段積み治具１の側枠２の内側に配置される場合、下側のパレット７０の各支柱７１、７２、７３、７４を、当該パレット段積み治具１の各梁材２５、２６、２７、２８に配置された各支柱受部４１、４２、４３、４４にて受けることにより、当該パレット段積み治具１を介して、上側のパレット（図示省略）を下側のパレット７０に段積みすることができる。
【００２２】
（パターン３）
図８に示されるように、下側のパレット７０が、パレット段積み治具１の側枠２に対して、前後方向長さ及び左右方向長さが短く、且つ前側に配置された各支柱７１、７４が左右に突出している場合、各支柱７１、７４を、当該パレット段積み治具１の各梁材２５、２８に配置された支柱受部４１、４４にて受け、且つ各支柱７２、７３を、側枠２（第２枠材２２）に配置された各支柱受部５３、５４にて受けることにより、当該パレット段積み治具１を介して、上側のパレット（図示省略）を下側のパレット７０に段積みすることができる。
【００２３】
この実施形態では以下の効果を奏する。
本実施形態によれば、側枠２と、当該側枠２に沿って移動可能な支柱受部５１乃至５８と、側枠２から当該側枠２の対角線に沿って斜めに延びる梁材２５乃至２８と、各梁材２５乃至２８に沿って移動可能な支柱受部４１乃至４４と、を備えるので、例えば、下側のパレット７０の支柱７１乃至７４が、側枠２の内側に配置される場合であっても、側枠２に配置された支柱受部５１乃至５８と、梁材２５乃至２８に配置された支柱受部４１乃至４４とを、適宜に使用することにより、下側のパレット７０の全ての支柱７１乃至７４を受けることができる。
従って、本実施形態のパレット段積み治具１を適用することにより、多様な組み合わせのパレット同士を段積みすることができる。
また、パレット段積み治具１を床面Ｆに設置させた状態では、側枠２に配置された支柱受部５１乃至５８、及び梁材２５乃至２８に配置された支柱受部４１乃至４４は、床面Ｆから浮いた状態であり、床面Ｆに着座していないので、当該パレット段積み治具１を床面Ｆに設置させた状態で、各支柱受部５１乃至５８、及び各支柱受部４１乃至４４を移動させて位置調整することができる。これにより、支柱受部５１乃至５８、及び支柱受部４１乃至４４の位置調整時に、パレット段積み治具１をフォークリフト等により持ち上げる必要がなく、段積み作業の能率を向上させることができる。
【００２４】
なお、実施形態は上記に限定されるものではなく、例えば、次のように構成することができる。
本実施形態では、上側のパレット（一方のパレット）を基準となるパレットに設定した場合を説明したが、下側のパレットを基準となるパレットに設定した段積みに対応するように構成することができる。
この場合、側枠２に配置された支柱受部５１乃至５８と、梁材２５乃至２８に配置された支柱受部４１乃至４４とを適宜に使用することにより、上側のパレットの全ての支柱を受けるように構成する。なお、パレット段積み治具１の各支柱３１乃至３４の下端に設けた支柱支持部により、下側のパレットの各支柱を受けるように構成する。
【符号の説明】
【００２５】
１  パレット段積み治具、２  側枠、３１−３４  支柱（支柱支持部）、２１、２３  第１枠材、２２、２４  第２枠材、２５−２８  梁材、４１−４４  支柱受部、５１−５８  支柱受部
【図１】
2017124839.tif 000003
【図２】
2017124839.tif 000004
【図３】
2017124839.tif 000005
【図４】
2017124839.tif 000006
【図５】
2017124839.tif 000007
【図６】
2017124839.tif 000008
【図７】
2017124839.tif 000009
【図８】
2017124839.tif 000010